(57)【特許請求の範囲】
【請求項１】
送信側装置から送出されて複数の伝送路をそれぞれ同報パケットとして伝送する複数の信号を送受信する複数の送受信ポートと、
前記複数の送受信ポートで受信した前記複数の同報パケットの信号を選択又は廃棄する機能を有する受信パケット選択部と、
選択又は廃棄される前記複数の同報パケットの各々のポート番号をチェックするポートチェック部と、
選択された信号を処理する信号処理部と、
受信信号を同報パケットとして前記複数の送受信ポートへ送信する同報送信部と、
前記複数の送受信ポートで受信した試験パケットのチェックを行う試験パケットチェック部とを備えており、
前記複数の送受信ポートから受信したシーケンス番号を付したパケットを前記受信パケット選択部に於いて選択又は廃棄する際に、前記ポートチェック部は選択又は廃棄される前記複数の同報パケットの各々の受信ポートを監視し、（１）前記複数の伝送路及び前記複数の送受信ポートの数が共に２個の場合には、特定の何れか一のポートからのパケットが所定回数以上連続して受信され続ける場合のみ、又は、（２）前記複数の伝送路及び前記複数の送受信ポートの数が共に３個以上の場合には、特定の何れか一のポートに於いて所定時間以上パケットの受信が無い場合のみ、前記信号処理部は前記試験パケットの送出を要求する信号を生成して当該試験パケット要求信号を前記同報送信部を介して前記送信側装置へ送信すると共に、前記試験パケットチェック部は、前記送信側装置より同報パケットとして送信されて前記複数の送受信ポートで受信した複数の試験パケットをチェックすることで、前記複数の伝送路の状態を監視することを特徴とする、
同報通信装置。
【発明の詳細な説明】
【技術分野】
【０００１】
この発明は、複数の伝送路を介して信号を送受信する同報通信システムに係り、伝送路を監視する又は診断する同報通信システムの回路構成に関する。
【背景技術】
【０００２】
従来の同報通信システムにおいては、伝送路の伝送特性を試験する方法として、試験装置のパケット送信部から送信した試験パケットと、受信側装置から戻ってきた試験応答パケットとを、試験装置（送信側装置）内の記憶装置の正常データと比較する構成がある。
【０００３】
【特許文献１】特開２００４−１８６８９２号公報
【発明の開示】
【発明が解決しようとする課題】
【０００４】
従来の同報通信システムは上記の様な構成となっており、同報通信システムの伝送試験を行う際など定期的に試験パケットを送信する必要があり、伝送路の帯域を低下させてしまうと言う問題点があった。
【０００５】
又、従来の同報通信システムは試験実施時以外においては伝送路の状態を監視できないため、同報通信システムの伝送路において異常が発生した可能性がある場合に試験を行えないと言う問題点があった。
【０００６】
この発明は以上の問題点を解消するために成されたものであり、同報通信システムに於いて、伝送路に異常が発生した可能性がある場合など必要時のみ伝送路試験を行うことで伝送路帯域の効率化を図ることを、その目的とする。
【課題を解決するための手段】
【０００７】
本発明の主題に係る同報通信装置は、送信側装置から送出されて複数の伝送路をそれぞれ同報パケットとして伝送する複数の信号を送受信する複数の送受信ポートと、前記複数の送受信ポートで受信した前記複数の同報パケットの信号を選択又は廃棄する機能を有する受信パケット選択部と、選択又は廃棄される前記複数の同報パケットの各々のポート番号をチェックするポートチェック部と、選択された信号を処理する信号処理部と、受信信号を同報パケットとして前記複数の送受信ポートへ送信する同報送信部と、前記複数の送受信ポートで受信した試験パケットのチェックを行う試験パケットチェック部とを備えており、前記複数の送受信ポートから受信したシーケンス番号を付したパケットを前記受信パケット選択部に於いて選択又は廃棄する際に、前記ポートチェック部は選択又は廃棄される前記複数の同報パケットの各々の受信ポートを監視し、（１）前記複数の伝送路及び前記複数の送受信ポートの数が共に２個の場合には、特定の何れか一のポートからのパケットが所定回数以上連続して受信され続ける場合のみ、又は、（２）前記複数の伝送路及び前記複数の送受信ポートの数が共に３個以上の場合には、特定の何れか一のポートに於いて所定時間以上パケットの受信が無い場合のみ、前記信号処理部は前記試験パケットの送出を要求する信号を生成して当該試験パケット要求信号を前記同報送信部を介して前記送信側装置へ送信すると共に、前記試験パケットチェック部は、前記送信側装置より同報パケットとして送信されて前記複数の送受信ポートで受信した複数の試験パケットをチェックすることで、前記複数の伝送路の状態を監視することを特徴とする。
【０００８】
以下、この発明の主題の様々な具体化を、添付図面を基に、その効果・利点と共に、詳述する。
【発明の効果】
【０００９】
本発明の主題によれば、伝送路の異常の可能性がある場合にのみ、送信側装置への試験パケットの送信要求、送信側装置から送信されて来る同報の試験パケットの受信及び当該試験パケットのチェックを全て受信側の同報通信装置に於いて行うことが出来るので、伝送路帯域の効率化及び伝送路異常の早期発見（伝送路の状態の監視）が可能となる。
【発明を実施するための最良の形態】
【００１０】
（実施の形態１）
図１は、本実施の形態１に係る同報通信システムの構成を示すブロック図である。以下、同図に基づき本システムの構成・動作を記載する。
【００１１】
図１に於いて、送信側装置１及び受信側装置２は共に同一の内部構成を有する同報通信装置であり、光ファイバなどの伝送路３，４を介して同報パケットを送受信する。尚、図示の便宜上、図１では、受信側の同報通信装置２の内部構成のみを描画している。
【００１２】
又、同報通信装置１，２内の送受信ポート５，６，７及び８は、伝送路３，４を介して伝送される、シーケンス番号を付した同報パケットを送受信するための機能を有する。
【００１３】
又、受信パケット選択部９は、送受信ポート７，８の各々に於いて受信した同報パケットを選択又は廃棄する機能を有する。
【００１４】
更に、ポートチェック部１０は本実施の形態に於ける中核部の一つであり、受信パケット選択部９によって選択又は廃棄の処理が行われる各パケットの受信ポートをチェックし、且つ、その受信ポートに割り振られたポート番号を記憶部（図示せず）に保持しておく機能を有する。しかも、後述する通り、ポートチェック部１０は、特定の受信ポート（７又は８）での連続受信回数をカウントするカウンタ（図示せず）をも有している。
【００１５】
更に、信号処理部１１は、受信パケット選択部９によって選択されたパケットに対して所定の信号処理を行う機能、及び、後述する送信側装置１へ送信すべき試験要求パケットを生成する機能を有する。
【００１６】
又、シーケンス番号保持部１２は、送受信ポート７，８を介して受信する同報パケットについて、受信パケット選択部９によって既に選択されたパケットに付されたシーケンス番号を保持しておく機能を有する。
【００１７】
更に、試験パケットチェック部１３は本実施の形態に於ける中核部の一つであり、送信側装置１から送信されて来る同報の試験パケットを受信した後に、両試験パケットの信号内容の比較処理を行って、伝送路３，４の状態を判断する機能を有する。
【００１８】
更に、同報送信部１４は、信号処理部１１より受信した、送信側装置１へ送信すべき試験要求パケットを、同報にて、送受信ポート７，８へ送信する機能を有する。
【００１９】
次に、同報通信システムの動作を図１に基づき記載する。送信側の同報通信装置１は、送信するパケット毎にシーケンス番号を付した上で、本装置１内の送受信ポート５，６から同報で同一シーケンス番号を付したパケットを送出する。それらの同報パケットはそれぞれ伝送路３，４を伝送して、受信側の同報通信装置２の送受信ポート７，８に入力される。
【００２０】
次に、同報通信装置２の送受信ポート７，８で受信した同報パケットは、受信パケット選択部９に送出され、受信パケット選択部９に到着した時刻が早いパケットから順番に、パケットの選択又は廃棄の処理が行われる。
【００２１】
ここで、受信パケット選択部９に於いてパケットの選択又は廃棄の処理が行われる際には、ポートチェック部１０は当該パケットの受信ポート（送受信ポート７，８の何れであるか）をチェックし、その受信ポートのポート番号をポートチェック部１０内に保持する。次に、連続して特定のポートのみ（本例では送受信ポート７，８の何れか一方のみ）にパケットが到着し受信される場合には、ポートチェック部１０は、当該特定のポートに連続して到着した回数をカウントアップする。但し、一旦、他のポートに次のパケットが到着すると、ポートチェック部１０のカウンタ（図示せず）の値はクリアされる。
【００２２】
次に、受信パケット選択部９における選択又は廃棄の動作を記載する。シーケンス番号保持部１２には、保持されているシーケンス番号が管理されており、受信パケット選択部９は、到着したパケットのシーケンス番号と、シーケンス番号保持部１２内に保持されている上記のシーケンス番号とを比較する。そして、到着したパケットに付されているシーケンス番号が、シーケンス番号保持部１２内に保持されているシーケンス番号よりも大きい場合には、受信パケット選択部９はこの到着したパケットを選択して信号処理部１１へ送出する。また同時に、受信パケット選択部９は、シーケンス番号保持部１２に於いて保持されているシーケンス番号を、選択したパケットのシーケンス番号へ更新する。
【００２３】
これに対して、受信パケット選択部９に到着したパケットのシーケンス番号が、シーケンス番号保持部１２内に保持されているシーケンス番号と同じ場合、若しくは、それよりも小さい場合には、受信パケット選択部９はこの到着パケットの廃棄を行い、次に到着したパケットについてシーケンス番号の比較を行う。
【００２４】
次に、特定のポートのみに連続してパケットが到着し続けた結果、ポートチェック部１０内のカウンタの値が、一定の値（所定値：同部１０内の記憶部で管理されている。）を超えた場合のみ（特定のポートに於いてパケットが所定回数以上連続して受信され続ける場合のみ）、ポートチェック部１０は、受信されないポート側の伝送路が異常である可能性があると判断して、その判断結果を受信パケット選択部９へ伝える。そして、伝送路の試験を行うために、受信パケット選択部９は、信号処理部１１に対して信号を発出することで、信号処理部１１は試験パケットの送出を送信側の同報通信装置１へ要求する信号を生成し、生成した試験パケット要求信号を同報パケットとするために同報送信部１４に送信する。そして、同報送信部１４より、送信側の同報通信装置１に対しての試験パケット要求信号が、送受信ポート７，８を介して、同報で送出される。
【００２５】
次に、伝送路３，４を介して伝送された同報の試験要求パケット（試験パケット要求信号）は、送信側の同報通信装置１の送受信ポート５，６によって受信され、同報通信装置１内の信号処理部（図示せず）は、受信した同報パケットが受信側の同報通信装置２からの試験パケット要求であると判断し、同報通信装置２への試験パケットを生成して、生成後の試験パケットを送受信ポート５，６から同報で同報通信装置２へ送出する。尚、試験パケットには、試験パケット用として、特定のシーケンス番号が付されている。
【００２６】
次に、伝送路３，４を介して伝送された同報の試験パケットは同報通信装置２の送受信ポート７，８によって受信され、その後、受信パケット選択部９は、試験パケットチェック部１３へ、各送受信ポート７，８からの試験パケットを送出する。尚、上記の通り、試験パケットには特定のシーケンス番号が付されており、そのために、送受信ポート７，８で受信された試験パケットに対しては、受信パケット選択部９に於いて選択・廃棄の処理は行われず、試験パケットはそのまま試験パケットチェック部１３に送出される。
【００２７】
試験パケットチェック部１３は、送受信ポート７，８で受信した両試験パケット同士の信号内容を比較し、信号内容が同一であるか否かをチェックすることで、伝送路３，４の状態を判断する。ここで、試験パケットチェック部１３は、両試験パケットの信号内容が同一の場合には伝送路３，４に異常は無いと判断する一方、同一でない場合には、伝送路３，４に異常ありと判断する。加えて、試験パケットチェック部１３はタイマ（図示せず）を有しており、例えば、送受信ポート７からの試験パケットが到着してから、一定時間が経過しても送受信ポート８からの試験パケットが未到達である場合には、伝送路４を異常と判断する。
【００２８】
本実施の形態による同報通信システムによれば、各ポート７，８から受信する同報パケットをシーケンス番号に応じて選択又は廃棄する受信パケット選択部９に、ポートチェック部１０及び試験パケットチェック部１３を備えることとしているので、伝送路異常の可能性がある時のみ、試験パケット送信の要求、試験パケットの送受信及び試験パケットのチェック（比較処理）を受信側の同報通信装置２内で行うことが出来るので、伝送路帯域の効率化及び伝送路異常の早期発見が可能となる。
【００２９】
（変形例）
実施の形態１では、この発明の同報通信システムの構成・動作を、同報通信装置の送受信ポート数が２個及び伝送路が２ラインの場合について説明したが、送受信ポートが３個以上及び伝送路が３ライン以上の場合についても本発明を適用出来る。
【００３０】
つまり、ポートチェック部１０にポート毎のタイマを備えることで、特定のポートにおいて一定時間以上パケットの受信がない場合にのみ、受信側の同報通信装置から送信側の同報通信装置に対する試験パケットの要求、受信側の同報通信装置での試験パケット送受信及び試験パケットの比較処理を行うことで、同様に、伝送路帯域の効率化を図りつつ、伝送路の正常性を確認することが可能となる。
【００３１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００３２】
この発明は、例えばネットワーク装置に適用可能である。
【図面の簡単な説明】
【００３３】
【図１】本発明の実施の形態１に係る同報通信システムの構成を模式的に示すブロック図である。
【符号の説明】
【００３４】
１，２  同報通信装置、３，４  伝送路、５，６，７，８  送受信ポート、９  受信パケット選択部、１０  ポートチェック部、１１  信号処理部、１２  シーケンス番号保持部、１３  試験パケットチェック部、１４  同報送信部。
【図１】
0004627267.tif 000002